(57)【特許請求の範囲】
【請求項１】
モジュール化された複数の単位家具を、少なくとも一部の対向２面が収納領域となるように集合させ、それら単位家具間に、周辺を使用端とする天板を架設してなるとともに、
各単位家具を、下面にアジャスタを有したベース上に載置し、
各単位家具と天板との間に電源コンセントや情報コンセントなどを配置するための隙間を形成していることを特徴とするオフィス構築用家具。
【請求項２】
モジュール化された複数の単位家具を、少なくとも一部の対向２面が収納領域となるように集合させ、それら単位家具間に、周辺を使用端とする天板を架設してなるとともに、
各単位家具と天板との間に電源コンセントや情報コンセントなどを配置するための隙間を形成していることを特徴とするオフィス構築用家具。
【請求項３】
集合させた単位家具の外面の上縁と天板の前記使用端とを接近させ、これらの間に前記隙間を形成していることを特徴とする請求項１又は２記載のオフィス構築用家具。
【請求項４】
天板が矩形状のものであり、対向２面及び側方１面の計３面に収納領域を形成していることを特徴とする請求項１、２又は３記載のオフィス構築用家具。
【請求項５】
天板が矩形状のものであり、対向２面及びこれと直交する対向２面の計４面に収納領域を形成していることを特徴とする請求項１、２又は３記載のオフィス構築用家具。
【請求項６】
単位家具を、天板の各辺に沿って収納領域を外側に向けて配設していることを特徴とする請求項４又は５記載のオフィス構築用家具。
【請求項７】
各単位家具と天板との間を、共通の枠体を介して連結していることを特徴とする請求項１、２、３、４、５又は６記載のオフィス構築用家具。
【請求項８】
モジュール化された複数の単位家具を、少なくとも一部の対向２面が収納領域となるように集合させ、それら単位家具間に、周辺を使用端とする天板を架設してなるとともに、
各単位家具と天板との間を、共通の枠体を介して連結し、
枠体に、単位家具によって囲繞される内側空間を外側空間に連通させるスリットを形成していることを特徴とするオフィス構築用家具。
【請求項９】
枠体を、複数の首木を相互に係合させて構成していることを特徴とする請求項７又は８記載のオフィス構築用家具。
【発明の詳細な説明】
【０００１】
【発明の属する技術分野】
本発明は、本来的収納機能を損なうことなく、コミュニケーションのコアとしての機能をも営ませるようにしたオフィス構築用家具に関するものである。
【０００２】
【従来の技術】
従来、オフィスにおいて執務ゾーンを構築する場合、個々の執務領域を構成するデスクや、ミーティング等のための共有領域を構成するテーブル、或いは収納領域を構成する収納家具などを種々のレイアウトの下に配置しているのが通例である。
【０００３】
【発明が解決しようとする課題】
ところが、上記のように従来における個々の単位家具は、それぞれ集中執務、会合、収納といった特定目的のために特化されたものばかりである。このため、明確な意思がある場合や、席が近いといった特別な事情がない限り、自然にコミュニケーションが生まれるような機会は殆どない。したがって、連絡不足や、オフィス空間が殺伐とした雰囲気に陥り易いなどの問題点を抱える場合が少なくなく、何らかのワークスタイルの改善が望まれている。
【０００４】
【課題を解決するための手段】
上記の問題点を解決するために、本発明は、複数の単位家具を用いて、個々の家具に本来的に備わる機能を損なうことなく、コミュニケーションのコアとしての機能を有効に果たさせるように構成することとしている。
【０００５】
【発明の実施の形態】
すなわち、本発明のオフィス構築用家具は、モジュール化された複数の単位家具を、少なくとも一部の対向２面が収納領域となるように集合させ、それら単位家具間に、周辺を使用端とする天板を架設してなるとともに、各単位家具を、下面にアジャスタを有したベース上に載置し、各単位家具と天板との間に電源コンセントや情報コンセントなどを配置するための隙間を形成していることを特徴とすることを特徴とする。
このような家具であれば、例えばフロアの中央付近に配置しておくことによって、収納領域を利用しようとする者が自然に集まり対面するような契機の場所を提供できることになる。しかも、天板は周囲を使用端とされているため、天板に手をついたり、使用端に凭れたりして、コミュニケーションに適した姿勢を容易にとらせることができる。勿論、このようにしても、各単位家具本来の収納機能は損なわれず、また各単位家具はモジュール化されているため、配設位置が互換可能であるばかりでなく、収納機能の異なる単位家具を適宜組み合わせることによって目的・用途に合致した最適なオフィス構築用家具を構成することも容易となる。
本発明に係るオフィス構築用家具の他の実施態様として、モジュール化された複数の単位家具を、少なくとも一部の対向２面が収納領域となるように集合させ、それら単位家具間に、周辺を使用端とする天板を架設してなるとともに、各単位家具と天板との間に電源コンセントや情報コンセントなどを配置するための隙間を形成していることを特徴とするものが挙げられる。
このような家具であれば、上述したような収納領域を利用しようとする者が自然に集まり対面するような契機の場所を提供できる効果、コミュニケーションに適した姿勢を容易にとらせることができる効果、及び収納機能の異なる単位家具を適宜組み合わせることによって目的・用途に合致した最適なオフィス構築用家具を構成することも容易となる効果を得ることができる。
以上に述べたようなオフィス構築用家具を好適に実現できる態様として、集合させた単位家具の外面の上縁と天板の前記使用端とを接近させ、これらの間に前記隙間を形成しているものが挙げられる。
【０００６】
具体的な実施の態様としては、天板が矩形状のものであり、対向２面及び側方１面の計３面に収納領域を形成している態様や、対向２面及びこれと直交する対向２面の計４面に収納領域を形成している態様が挙げられる。
この場合、単位家具を、天板の各辺に沿って収納領域を外側に向けて配設しておけばよい。
【０００７】
各単位家具と天板との間を有効に連結するためには、両者間に共通の枠体を配設しておくことが望ましい。
また、本発明に係るオフィス構築用家具の他の実施態様として、モジュール化された複数の単位家具を、少なくとも一部の対向２面が収納領域となるように集合させ、それら単位家具間に、周辺を使用端とする天板を架設してなるとともに、各単位家具と天板との間を、共通の枠体を介して連結し、枠体に、単位家具によって囲繞される内側空間を外側空間に連通させるスリットを形成していることを特徴とするものが挙げられる。このようなものであれば、配線の便を向上させることができる。
各単位家具を種々の態様で集合させるためには、枠体を、複数の首木を相互に係合させて構成しておくことが好都合である。
【０００８】
【実施例】
以下、本発明の一実施例を、図１〜図６を参照して説明する。
図１は本実施例のオフィス構築用家具Ａを示す前方斜視図、図２は同後方斜視図である。これらの図面に示すように、オフィス構築用家具Ａは、モジュール化された複数の単位家具１、２、３、４、５を、収納領域が外側を向くようにして集合させ、それら単位家具１〜５に跨がって、突き合わせた状態で周辺を使用端ｕとする天板１３を形成する２枚の天板要素１３ａを架設することにより構成されている。
【０００９】
具体的に説明すると、このオフィス構築用家具Ａは、全体が概略直方体形状をなすもので、第１面ａ１に単位家具１、２を配置し、この第１面ａ１と対向する第３面ａ３に単位家具３、４を配置し、また第１面ａ１及び第３面ａ３の対向方向と直交する方向に位置する第２面ａ２及び第４面ａ４のうち、第２面ａ２に単位家具５を配置している。この実施例の場合、前記単位家具１はファイル等を収納するための収納領域を備えた両開き式の共有保管庫であり、単位家具２は書類等を収納するための収納領域を備えた引出し式の書類入れであって、互いに前面を略面一に合致させて隣接配置されている。また、前記単位家具３は携帯品等を収納するための収納領域を備えた個人用ロッカーであり、単位家具４は前記単位家具１と同様のファイル等を収納するための収納領域を備えた両開き式の書類入れであって、互いに前面を略面一に合致させて隣接配置されている。さらに、前記単位家具５は図面を収納するための収納領域を備えた図面用保管庫であり、単位家具２、４の側面間に形成される隙間に前面をそれらの側面に略面一に合致させて配置されている。一方、第４面ａ４には、単位家具１、３の側面間に形成される隙間に前記第２面の単位家具５と等幅のものを配置することも可能であるが、この実施例では前記単位家具１〜５に対して幅狭で同一丈のメール受け６を配置して収納領域とし、且つこのメール受け６と単位家具１との間に残された隙間をプリンターＰを載置したワゴン７を出し入れ自在に収納するための収納領域として利用している。
【００１０】
しかして、この実施例の場合、単位家具である共有保管庫１、４、書類入れ２、個人用ロッカー３及び図面用保管庫５は、幅寸法Ｗが８００ｍｍ、奥行寸法Ｄが４００ｍｍ、高さ寸法Ｈが８４０ｍｍにモジュール化されたもので、天板１３を載置した状態で、全体として見掛け上、１６００ｍｍ角をなす平面視正方形状のオフィス構築用家具Ａが構成されるようにしている。
【００１１】
次に、このオフィス構築用家具Ａの組付手順を図３及び図４を参照して説明する。先ず、単位家具１、２及び３、４を、各々２つ分の家具と略同一平面形状をなし四隅下面にアジャスタ８ａを有したベース８上に載置し、また単位家具５を略同一平面形状をなし四隅下面に図示しないアジャスタを有したベース９上に載置して、各単位家具１〜５上にそれらと略同一平面形状をなす化粧板１０、及び枠体１２を介して、１６００ｍｍ×８００ｍｍの天板要素１３ａを２枚載設する。枠体１２は、２本の縦首木１２ａの中央部間に係合孔１２ａ１を設けて補強首木１２ｂの両端に設けた係合突起１２ｂ１を凹凸係合させ、その状態で縦首木１２ａの両端に設けた係合突起１２ａ２を対応する横首木１２ｃに設けた係合孔１２ｃ１に凹凸係合させて組み付けられるもので、全体がオフィス構築用家具Ａの平面形状よりも若干小さい正方形内に収まるように設定してある。そして、縦首木１２ａの下面にダボ孔１２ａ３を設け、対応する化粧板１０の上面にもダボ孔１０ａを設けて、これらのダボ孔１２ａ３、１０ａ間をダボ１４で連結することにより、枠体１２を各単位家具１〜５に対して位置決め固定するようにしている。また、縦首木１２ａの両端近傍及び横首木１２ｃの中央補強部分にそれぞれ上下に貫通するねじ挿通孔ｍが設けてあり、対応する単位家具１〜５の頂板及び化粧板１０、１１にもそれぞれねじ挿通孔ｐ、ｓが、また対応する天板１３の下面にインサートナットｒがそれぞれ設けてあって、単位家具１〜５の頂板の下面からそれらのねじ挿通孔ｐ、ｓ、ｍに挿通したねじｖを対応する天板１３のインサートナットｒに締着することによって、枠体１２を介して各単位家具１〜５と天板１３との相互連結を完了するようにしている。
【００１２】
なお、前記枠体１２の縦首木１２ａには、水平方向に貫通するスリット１２ａ５が形成してあり、これらのスリット１２ａ５を介して図６に示すように単位家具１〜５により囲繞される内側空間Ｓを外側空間に連通させ、前記スリット１２ａ５を配線挿通孔として利用できるようにしている。
以上述べたように、本実施例のオフィス構築用家具Ａは、モジュール化された複数の単位家具１〜５を、４面ａ１〜ａ４の全てが収納領域となるように集合させ、それら単位家具１〜５に跨がって周辺を使用端ｕとする天板１３を架設することにより構成しているものである。
【００１３】
このため、例えばフロアの中央付近にこのオフィス構築用家具Ａを配置しておけば、上記各収納領域を利用しようとする者が自然に集まって対面する契機の場所となり、コミュニケーションを促すコアとしての役割を担い得るものとなる。しかも、天板１３は周囲を使用端ｕとされており、集まった者が天板１３に手をついたり、使用端ｕに凭れたりしてコミュニケーションに適した姿勢を容易にとることができるほか、天板１３上にコンピュータＣＰ等を配置しておけば、それを使って手短な業務上のやりとりをする場所等としても有効に活用することが可能となる。勿論、このようにしても、各単位家具１〜５の本来的収納機能は損なわれず、また各単位家具１〜５はモジュール化されているため、配設位置が互換可能であるばかりでなく、例えば図５に示すようにオープン保管機能を備えた単位家具１１を上記単位家具１、２に代えて組み込むことにより別異のオフィス構築用家具Ｂとするなど、目的・用途に合致した最適なオフィス構築用家具を容易に構成することができる。
【００１４】
特に、本実施例のものは、天板１３を正方形状にし、その４面に収納領域を設けているため、コミュニケーションに適した位置に効率良くワーカーを集合させることができ、各収納領域も相互に使い易い位置関係に配置しておくことができる。
また、各単位家具１〜５と天板１３との間を共通の枠体１２を介して連結しているため、単位家具１〜５相互の位置決め等もこの枠体１２を基準にして簡単、確実に行うことができるほか、枠体１２の配設部分に対応して天板１３と単位家具１〜５との間に意匠的外観の向上につながる目地も有効に形成することができる。
【００１５】
この場合、枠体１２に、単位家具によって囲繞される内側空間Ｓを外側空間に連通させるスリット１２ａ５を形成しているため、そのスリット１２ａ５を配線挿通口として利用して図６に示すように天板１３上に配置したコンピュータＣＰの配線ｃを前記プリンターＰに導くようなことも簡単に行うことができる。その際、枠体１２は既述したように、単位家具１〜５や天板１３の平面形状すなわち１６００ｍｍ角の正方形状よりも若干小さい正方形内に収まるようにしてあり、枠体１２の外側において各単位家具１〜５と天板１３との間に隙間が形成されるので、この隙間を電源コンセントや情報コンセントなどを配置するスペースとして有効利用することができる。
【００１６】
さらに、前記枠体１２は、複数の首木１２ａ、１２ｂ、１２ｃを相互に係合させて構成しているものであるため、適宜組み換えることで集合数の異なるオフィス構築用家具にも比較的自在に対応することが可能となる。
なお、各部の具体的な構成は、図示実施例のものに限定されるものではない。例えば、上記実施例では４面に収納領域を形成しているが、３面あるいは対向２面にのみ収納領域を形成している場合にも上記に準じた作用効果を得ることができる。また、上記実施例では３面にモジュール化した収納家具を配置したが、４面全てにモジュール化した家具を配置したり、２面にのみモジュール化した家具を配置することもできる。図７はその変形例として、前記単位家具１１を幅方向に隣接配置し、且つそれと同じものを背合わせに配置して対向２面ａ１、ａ３に収納領域を形成したものである。具体的には、前記実施例で用いたと同様のベース８、化粧板１０、天板要素１３ａ、及び縦首木１２ａを用い、この首木１２ａ間を前記横首木１２ｃの略半分の寸法を有する横首木１１２ｃで連結して、１６００ｍｍ×８００ｍｍのオフィス構築用家具Ｃを構成しているものである。このように、前記オフィス構築用家具Ａとの間の形態の変更も容易に行うことができる。さらに、天板は矩形状以外に円形、楕円形等、収納機能を損ねない範囲で種々の形状のものが採用可能であり、その他の構成も、本発明の趣旨を逸脱しない範囲で種々変形が可能である。
【００１７】
【発明の効果】
本発明は、以上説明したような形態で実施され、以下に記載されるような効果を奏する。
すなわち、本発明のオフィス構築用家具は、モジュール化された複数の単位家具を、少なくとも一部の対向２面が収納領域となるように集合させ、それら単位家具間に、周辺を使用端とする天板を架設してなるとともに、各単位家具を、下面にアジャスタを有したベース上に載置し、各単位家具と天板との間に電源コンセントや情報コンセントなどを配置するための隙間を形成しているものである。このため、この家具により、各単位家具本来の収納機能を損なうことなく、オフィスワーカー間のコミュニケーションを好適に誘導してオフィスを活性化することができ、また各単位家具相互の配置や種類を選択し、組み合わせることによって、必要とするオフィス環境に適した最適なオフィス構築用家具としての機能を追求することが可能となる。
【００１８】
特に、天板を矩形状のものとし、その天板に対し各単位家具の収納領域を外側に向けて配置して、対向２面及び側方１面の計３面に収納領域を形成したり、対向２面及びこれと直交する対向２面の計４面に収納領域を形成した場合には、コミュニケーションに適した位置に効率良くワーカーを集合させることができ、各収納領域も使い勝手の良好な状態にしておくことができる。
【００１９】
各単位家具と天板との間を共通の枠体を介して連結するようにした場合には、単位家具相互の位置決め等をこの枠体を基準にして簡単、確実に行うことができ、また天板の下方に目地を形成して当該オフィス構築用家具の意匠的外観を有効に向上させることも可能となる。
その枠体に、単位家具によって囲繞される内側空間を外側空間に連通させるスリットを形成した場合には、そのスリットを配線挿通口として利用して天板上に載置したコンピュータ等に電力線や通信線を好適に導くことができる。
【００２０】
さらに、枠体を、複数の首木を相互に係合させて構成しておけば、首木の組替え次第で単位家具を種々の態様の下に集合、連結することが可能となる。
【図面の簡単な説明】
【図１】本発明の一実施例を示す前方斜視図。
【図２】同後方斜視図。
【図３】同分解斜視図。
【図４】図３の一部を更に分解した斜視図。
【図５】同実施例の他の配置形態を示す図。
【図６】同実施例の作用説明図。
【図７】本発明の他の実施例を示す斜視図。
【符号の説明】
１、２、３、４、５、１１…単位家具
１２…枠体
１２ａ、１２ｂ、１２ｃ…首木
１２ａ５…スリット
１３…天板
ａ１、ａ３…対向２面
ａ２、ａ４…対向２面
Ｓ…内側領域
ｕ…使用端
【図１】
0003622528.tif 000002
【図２】
0003622528.tif 000003
【図３】
0003622528.tif 000004
【図４】
0003622528.tif 000005
【図５】
0003622528.tif 000006
【図６】
0003622528.tif 000007
【図７】
0003622528.tif 000008